(57)【要約】  ＥＭＳ１０２Ｂが、検索要求に応じてＥＭＳ１０２Ａに対して第２需要家の信頼度に関する情報を含む検索応答を送信することと、ＥＭＳ１０２Ａが、第２需要家の信頼度に関する情報に応じて選出したＥＭＳ１０２Ｂに対してデマンドレスポンスによって指定値の電力量の供給を要請するためのデマンドレスポンス要請を送信することと、ＥＭＳ１０２Ｂが、デマンドレスポンス要請に応答して、ＥＭＳ１０２Ｂによって管理されている分散電源１０１Ｂ又は負荷機器１０３Ｂを、第１需要家に対して指定値の電力量を供給するように制御することと、ＥＭＳ１０２Ａが、デマンドレスポンスが完了した際に、ＥＭＳ１０２Ｂに対して前記デマンドレスポンスの完了時に応答結果を送信することを要求する結果要求を送信することとを有する。
2020158592.tif 000002
【特許請求の範囲】
【請求項１】
第１需要家施設に設けられている第１電力管理装置が、検索要求を送信することと、
第２需要家施設に設けられている第２電力管理装置が、前記検索要求に応じて、前記第１電力管理装置に対して、前記第２需要家施設の信頼度に関する情報を含む検索応答を送信することと、
前記第１電力管理装置が、前記第２需要家施設の信頼度に関する情報に応じて選出した前記第２電力管理装置に対して、デマンドレスポンスによって指定値の電力量の供給を要請するためのデマンドレスポンス要請を送信することと、を有する電力供給方法。
【請求項２】
前記第２電力管理装置が、前記デマンドレスポンス要請に応答して、前記第２電力管理装置によって管理されている分散電源及び負荷機器のうち少なくとも一方を、前記第１需要家施設に対して前記指定値の電力量を供給するように制御することと、
前記第１電力管理装置が、前記デマンドレスポンスが完了した際に、前記第２電力管理装置に対して、前記デマンドレスポンスの完了時に応答結果を送信することを要求する結果要求を送信することと、を更に有する、請求項１に記載の電力供給方法。
【請求項３】
前記第２需要家施設の信頼度に関する情報は、少なくとも前記デマンドレスポンス要請に対する達成度及び前記デマンドレスポンス要請に対する平均滞在率のいずれか一方であり、
前記平均滞在率は、要請に応じていた際の電力量が要請量に対して所定範囲内に入っていた時間の割合を示す、請求項１又は２に記載の電力供給方法。
【請求項４】
前記第２電力管理装置が、前記結果要求に応じて、前記第１電力管理装置に対して、前記デマンドレスポンスの完了時に応答結果を送信する結果応答によって、前記指定値の電力量の供給に係るレポートを送信すること、を更に有する、請求項２に記載の電力供給方法。
【請求項５】
前記検索応答の送信において、前記第２電力管理装置は、前記第１電力管理装置に対して、前記検索応答によって、前記レポートとして送信可能な項目を通知する、請求項４に記載の電力供給方法。
【請求項６】
前記レポートの送信において、前記第２電力管理装置は、前記第１電力管理装置に対して、前記レポートとして、前記第２需要家施設の信頼度を送信する、請求項３又は５に記載の電力供給方法。
【請求項７】
前記第１電力管理装置が、前記第１電力管理装置を管理するサーバ装置に対して、前記第２需要家施設の信頼度に関する情報を通知することを更に含む、請求項１〜６のいずれか一項に記載の電力供給方法。
【請求項８】
第１需要家施設に設けられている第１電力管理装置及び第２需要家施設に設けられている第２電力管理装置を有する電力供給システムにおいて前記第１電力管理装置として機能する電力管理装置であって、
前記第１需要家施設に対して電力量を供給可能な需要家施設を検索するための検索要求を送信し、前記第２電力管理装置が前記検索要求を受信したことに応じて、前記第２需要家施設の信頼度に関する情報を含む検索応答を前記第２電力管理装置から受信する検索部と、
前記第２需要家施設の信頼度に関する情報に応じて選出した前記第２電力管理装置に対して、デマンドレスポンスによって指定値の電力量の供給を要請するためのデマンドレスポンス要請を送信するデマンドレスポンス処理部と、を有する、電力管理装置。
【請求項９】
第１需要家施設に設けられている第１電力管理装置及び第２需要家施設に設けられている第２電力管理装置を有する電力供給システムにおいて前記第２電力管理装置として機能する電力管理装置であって、
前記第１電力管理装置から受信した検索要求に応じて、前記第１電力管理装置に対して、前記第２需要家施設の信頼度に関する情報を含む検索応答を送信する応答部と、
前記第１電力管理装置から、デマンドレスポンスによって指定値の電力量の供給を要請するためのデマンドレスポンス要請を受信するデマンドレスポンス処理部と、を有する、電力管理装置。
【発明の詳細な説明】
【技術分野】
【０００１】
本開示は、電力供給方法及び電力管理装置に関する。
【背景技術】
【０００２】
近年、ＶＰＰ（Ｖｉｒｔｕａｌ  Ｐｏｗｅｒ  Ｐｌａｎｔ）においては、デマンドレスポンス（ＤＲ：Ｄｅｍａｎｄ  Ｒｅｓｐｏｎｓｅ）の技術を応用して、応答側需要家から要請側需要家に対して所望の電力量を供給する実証が行われている。【０００３】
具体的には、かかる実証におけるＶＰＰは、各施設の蓄電装置や電力管理装置（ＥＭＳ：Ｅｎｅｒｇｙ  Ｍａｎａｇｅｍｅｎｔ  Ｓｙｓｔｅｍ）を組み合わせて実現されており、また、インターネット環境を使用して各電力管理装置とサーバ装置との間で通信を行うシステム構成となっている。
【先行技術文献】
【特許文献】
【０００４】
【特許文献１】特開２０１７-０１１９６８号公報
【発明の概要】
【０００５】
本開示の第１の特徴は、電力供給方法であって、第１需要家施設に設けられている第１電力管理装置が、検索要求を送信し、第２需要家施設に設けられている第２電力管理装置が、前記検索要求に応じて、前記第１電力管理装置に対して、前記第２需要家施設の信頼度に関する情報を含む検索応答を送信する。さらに、前記第１電力管理装置は、前記第２需要家施設の信頼度に関する情報を含む検索応答に応じて選出した前記第２電力管理装置に対して、デマンドレスポンスによって指定値の電力量の供給を要請するためのデマンドレスポンス要請を送信する。
【０００６】
本開示の第２の特徴は、第１需要家施設に設けられている第１電力管理装置及び第２需要家施設に設けられている第２電力管理装置を有する電力供給システムにおいて前記第１電力管理装置として機能する電力管理装置である。前記電力管理装置は、検索部と、デマンドレスポンス処理部と、レポート取得部と、を有する。前記検索部は、前記第１需要家施設に対して電力量を供給可能な需要家施設を検索するための検索要求を送信する。前記検索部は、前記第２電力管理装置が前記検索要求を受信したことに応じて、前記第２需要家施設の信頼度に関する情報を含む検索応答を前記第２電力管理装置から受信する。前記デマンドレスポンス処理部は、前記第２需要家施設の信頼度に関する情報に応じて選出した前記第２電力管理装置に対して、デマンドレスポンスによって指定値の電力量の供給を要請するためのデマンドレスポンス要請を送信する。
【０００７】
本開示の第３の特徴は、第１需要家施設に設けられている第１電力管理装置及び第２需要家施設に設けられている第２電力管理装置を有する電力供給システムにおいて前記第２電力管理装置として機能する電力管理装置である。前記電力管理装置は、応答部と、デマンドレスポンス処理部と、レポート送信部と、を有する。前記応答部は、前記第１電力管理装置から受信した検索要求に応じて、前記第１電力管理装置に対して、前記第２需要家施設の信頼度に関する情報を含む検索応答を送信する。前記デマンドレスポンス処理部は、前記第１電力管理装置から、デマンドレスポンスによって指定値の電力量の供給を要請するためのデマンドレスポンス要請を受信する。
【図面の簡単な説明】
【０００８】
【図１】図１は、従来技術を説明するための図である。
【図２】図２は、従来技術を説明するための図である。
【図３】図３は、一実施形態に係る電力供給システム１の全体構成の一例を示す図である。
【図４】図４は、一実施形態に係る電力管理装置１０２Ａの構成の一例を示す図である。
【図５】図５は、一実施形態に係る電力管理装置１０２Ｂの構成の一例を示す図である。
【図６】図６は、一実施形態に係る電力供給方法の一例を示すフローチャートである。
【発明を実施するための形態】
【０００９】
図１及び図２に、かかるＶＰＰにおけるシーケンスの一例を示す。
【００１０】
従来の応答側需要家から要請側需要家に対して所望の電力量を供給するＶＰＰでは、応答側需要家のＥＭＳから要請側需要家のＥＭＳに対して送信されるレポートに起因して通信量及び要請側需要家のＥＭＳにおける処理量が増加してしまうという問題点があった。
【００１１】
具体的には、図１示すパターン１のシーケンスでは、要請中レポート及び定期レポートによって、上述の通信量及び処理量が増加してしまうという問題点があった。ここで、図１に示すパターン１のシーケンスでは、要請中レポート及び定期レポートによって、デマンドレスポンスの要請による電力量のうち、今回どれだけ要請するか或いは今回どれだけ電力量を送ったか等について逐次報告している。
【００１２】
同様に、図２示すパターン２のシーケンスでは、定期レポートによって、上述の通信量及び処理量が増加してしまうという問題点があった。ここで、図２に示すパターン２のシーケンスにおいても、定期レポートによって、デマンドレスポンスの要請による電力量のうち、今回どれだけ要請するか或いは今回どれだけ電力量を送ったか等について逐次報告している。また、図２に示すパターン２のシーケンスでは、完了時レポートによって、デマンドレスポンスが完了する旨を報告している。
【００１３】
本開示は、上述の課題に鑑みてなされたものであり、応答側需要家から要請側需要家に対して所望の電力量を供給する場合に、応答側需要家のＥＭＳから要請側需要家のＥＭＳに対して送信されるレポートに起因する通信量の増加及び要請側需要家のＥＭＳにおける処理量の増加を低減することができる。
【００１４】
以下、本発明の実施形態に係る電力供給システムについて図面を参照しながら説明する。なお、以下の図面の記載において、同一又は類似の部分には、同一又は類似の符号を付している。
【００１５】
（第１実施形態）
以下、図２〜図６を参照して、本開示の第１実施形態について説明する。図３は、本実施形態に係る電力供給システム１の構成の一例を示す図である。図３に示すように、電力供給システム１は、複数の施設１００Ａ/１００Ｂと、サーバ装置３００とを有する。各施設１００Ａ/１００Ｂ及びサーバ装置３００は、ネットワーク２００に接続されている。ネットワーク２００は、インターネットを含んでもよいし、ＶＰＮ（Ｖｉｒｔｕａｌ  Ｐｒｉｖａｔｅ  Ｎｅｔｗｏｒｋ）等の専用回線を含んでもよい。
【００１６】
図３では、複数の施設１００として、施設１００Ａ/１００Ｂが例示されている。１つの施設１００は、１つの需要家施設（以下、単に「需要家」と呼ぶ）に対応する。各施設１００Ａ/１００Ｂは、電力系統１１０に接続される。
【００１７】
電力系統１１０から施設１００への電力の流れは「潮流」と称され、施設１００から電力系統１１０への電力の流れは「逆潮流」と称される。電力系統１１０は、電力会社から切り離された地域内の需要家間で電力融通する場合における需要家外の送電網であってもよい。
【００１８】
施設１００Ａは、分散電源１０１Ａと、ＥＭＳ１０２Ａと、負荷機器１０３Ａとを有し、施設１００Ｂは、分散電源１０１Ｂと、ＥＭＳ１０２Ｂと、負荷機器１０３Ｂとを有する。
【００１９】
分散電源１０１Ａ/１０１Ｂは、燃料を用いて発電を行う燃料電池装置であってもよい。燃料電池装置は、燃料を用いて発電を行う装置である。例えば、燃料電池装置は、固体酸化物型燃料電池（ＳＯＦＣ：Ｓｏｌｉｄ  Ｏｘｉｄｅ  Ｆｕｅｌ  Ｃｅｌｌ）、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）、リン酸型燃料電池（ＰＡＦＣ：Ｐｈｏｓｐｈｏｒｉｃ  Ａｃｉｄ  Ｆｕｅｌ  Ｃｅｌｌ）、及び／又は溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。また、分散電源１０１は、太陽光、風力、水力、又は地熱等の自然エネルギーを用いて発電を行う発電装置であってもよい。また、分散電源１０１Ａ/１０１Ｂは、電力の充電及び電力の放電を行う蓄電装置であってもよい。
【００２０】
蓄電装置は、ＥＭＳ１０２Ａ/１０２Ｂの制御下で充電及び放電を行う装置である。例えば、蓄電装置は、リチウムイオン蓄電装置、鉛蓄電装置又はニッケル・水素蓄電装置等である。
【００２１】
なお、蓄電装置が放電する電力は、施設１００Ａ/１００Ｂ内の負荷機器１０３Ａ/１０３Ｂに供給されてもよいし、電力系統１１０に供給されてもよい。また、本実施形態において、発電装置によって発電された電力を売電し、施設１００Ａ/１００Ｂ内の負荷機器１０３Ａ/１０３Ｂを蓄電装置の放電により賄う「押し上げモード」にて運用されてもよい。蓄電装置は、例えば、電力系統１１０によって供給される電力或いは発電装置の余剰電力を充電することができる。
【００２２】
ＥＭＳ１０２Ａ/１０２Ｂは、施設１００Ａ/１００Ｂの電力を管理する電力管理装置である。ＥＭＳ１０２Ａ/１０２Ｂは、分散電源１０１Ａ/１０１Ｂ及び負荷機器１０３の動作状態を制御してもよい。具体的には、ＥＭＳ１０２Ａ/１０２Ｂは、蓄電装置の充電又は放電を制御してよい。ＥＭＳ１０２Ａ/１０２Ｂは、ＶＥＮ（Ｖｉｒｔｕａｌ  Ｅｎｄ  Ｎｏｄｅ）の一例である。
【００２３】
負荷機器１０３Ａ/１０３Ｂは、電力を消費する機器である。例えば、負荷機器１０３Ａ/１０３Ｂは、空調機器、照明機器、又はＡＶ（Ａｕｄｉｏ  Ｖｉｓｕａｌ）機器等である。
【００２４】
サーバ装置３００は、発電事業者、送配電事業者或いは小売事業者、リソースアグリゲータ等の電力事業者によって管理されるサーバ装置である。リソースアグリゲータは、ＶＰＰにおいて発電事業者、送配電事業者及び小売事業者などに逆潮流の電力を提供する電力事業者である。本実施形態において、サーバ装置３００は、逆潮流の電力の買取エンティティの一例である。本実施形態では、サーバ装置３００は、施設１００Ａ/１００Ｂを管理するように構成されている。
【００２５】
以下、図４を参照して、電力供給システム１においてＥＭＳ１０２Ａ（第１電力管理装置）として機能するＥＭＳの構成の一例について説明する。また、図５を参照して、電力供給システム１においてＥＭＳ１０２Ｂ（第２電力管理装置）として機能するＥＭＳの構成の一例について説明する。なお、本実施形態に係るＥＭＳは、ＥＭＳ１０２Ａの構成及びＥＭＳ１０２Ｂの構成の両方を有していてもよい。
【００２６】
図４に示すように、ＥＭＳ１０２Ａは、通信部１１１と、データベース１１２と、検索部１１３と、ＤＲ処理部１１４と、レポート取得部１１５と、通知部１１６とを有している。ここで、検索部１１３、ＤＲ処理部１１４、レポート取得部１１５及び通知部１１６の一部又は全部は、ＥＭＳ１０２Ａの制御部（図示せず）に含まれていてもよい。
【００２７】
通信部１１１は、通信モジュールによって構成されており、施設１００Ａの分散電源１０１Ａ、負荷機器１０３Ａ及びサーバ装置３００と通信を行う。通信部１１１は、サーバ装置３００との間で、第１通信プロトコルに従って通信を行う。例えば、第１通信プロトコルとしては、Ｏｐｅｎ  ＡＤＲ  ２.０に準拠する通信プロトコル、或いは、独自の専用通信プロトコルを用いることができる。一方、通信部１１１は、分散電源１０１Ａ及び負荷機器１０３Ａとの間で、第２通信プロトコルに従って通信を行う。例えば、第２通信プロトコルは、ＥＣＨＯＮＥＴ  Ｌｉｔｅに準拠する通信プロトコル、ＳＥＰ（Ｓｍａｒｔ  Ｅｎｅｒｇｙ  Ｐｒｏｆｉｌｅ）２．０、ＫＮＸ、或いは、独自の専用通信プロトコルを用いることができる。
【００２８】
データベース１１２は、不揮発性メモリ又は/及びＨＤＤ等の記憶媒体によって構成されており、施設１００Ａに関するデータを記憶する。
【００２９】
検索部１１３は、通信部１１１を介して、ネットワーク２００に対して検索要求を送信するように構成されている。ここで、検索要求は、ＥＭＳ１０２Ａに対して電力量を供給可能な他の需要家を検索するための信号である。かかる検索要求には、施設１００Ａにおいて必要な電力量を示す情報が含まれている。かかる検索要求は、例えば、Ｏｐｅｎ  ＡＤＲ  ２.０に準拠する通信プロトコルで規定されている信号であってもよい。
【００３０】
また、検索部１１３は、他の施設１００のＥＭＳ、本実施形態では、ＥＭＳ１０２Ｂから、検索要求に対応する検索応答を受信するように構成されている。かかる検索応答には、ＥＭＳ１０２Ｂにおいて施設１００Ａの需要家に対して供給可能な電力量を示す情報が含まれている。かかる検索応答は、例えば、Ｏｐｅｎ  ＡＤＲ  ２.０に準拠する通信プロトコルで規定されている信号であってもよい。
【００３１】
なお、検索部１１３は、上述の検索要求を送信してから所定期間が経過した後に、通信部１１１を介して、ネットワーク２００に対して、かかる検索応答の受付を締め切る旨を通知する信号を送信するように構成されていてもよい。
【００３２】
また、上述の検索要求には、上述の検索応答を受け付ける期間を示す情報が含まれていてもよい。更に、上述の検索要求には、施設１００Ａの需要家において必要な電力の希望単価、及び／又は施設１００Ａ（或いは、施設１００Ａの需要家）の信頼度に関する情報が含まれていてもよい。
【００３３】
同様に、上述の検索応答は、施設１００Ａの需要家に対して供給可能な電力の希望単価、及び／又は施設１００Ｂ（或いは、施設１００Ｂの需要家）の信頼度に関する情報が含まれていてもよい。
【００３４】
また、検索部１１３は、かかる検索応答によって、後述するレポートとして送信可能な項目を通知されるように構成されていてもよい。
【００３５】
ＤＲ処理部１１４は、通信部１１１を介して、ＥＭＳ１０２Ｂに対してデマンドレスポンス要請を送信するように構成されている。ここで、デマンドレスポンス要請は、デマンドレスポンスによって指定値の電力量の供給を要請するための信号である。かかるデマンドレスポンス要請は、例えば、Ｏｐｅｎ  ＡＤＲ  ２.０に準拠する通信プロトコルで規定されている信号であってもよい。
【００３６】
また、ＤＲ処理部１１４は、複数の需要家の中から、所定方法で、デマンドレスポンス要請の対象の需要家を選出するように構成されていてもよい。
【００３７】
例えば、ＤＲ処理部１１４は、各需要家の信頼度に関する情報を用いて、デマンドレスポンス要請の対象の需要家を選出するように構成されていてもよい。ＤＲ処理部１１４は、サーバ装置３００から、かかる信頼度に関する情報について取得するように構成されていてもよい。
【００３８】
レポート取得部１１５は、デマンドレスポンスが完了した際に、通信部１１１を介して、ＥＭＳ１０２Ｂに対して、応答結果を送信することを要求する結果要求を送信するように構成されている。かかる結果要求は、例えば、Ｏｐｅｎ  ＡＤＲ  ２.０に準拠する通信プロトコルで規定されている信号であってもよい。
【００３９】
また、レポート取得部１１５は、通信部１１１を介して、ＥＭＳ１０２Ｂから、応答結果を送信する結果応答によって、上述の指定値の電力量の供給に係るレポートを受信するように構成されている。かかる結果応答は、例えば、Ｏｐｅｎ  ＡＤＲ  ２.０に準拠する通信プロトコルで規定されている信号であってもよい。
【００４０】
なお、レポート取得部１１５は、検索応答によって通知されたレポートとして送信可能な項目に基づいて、結果要求の内容を決定するように構成されていてもよい。
【００４１】
通知部１１６は、通信部１１１を介して、サーバ装置３００に対して、所定情報を通知するように構成されている。かかる所定情報は、上述のデマンドレスポンス要請に対するＥＭＳ１０２Ｂ（施設１００Ｂ或いは施設１００Ｂの需要家）の実績及び／又は評価を示す情報である。
【００４２】
例えば、通知部１１６は、かかる所定情報として、少なくともデマンドレスポンス要請に対する達成率（要請期間中に、要請された電力量を１００％とした場合に対して達成した電力量の度合い（例えば、％））及びデマンドレスポンス要請に対する平均滞在率のいずれか一方を通知するように構成されている。ここで、「滞在率」は、要請に応じていた際の電力量が、要請量に対しある範囲（例えば、±２０％や１０％）に入っていた時間の単位時間当たりの割合である。「平均滞在率」は、デマンドレスポンスが要請されている時間の範囲で滞在率を平均したものである。
【００４３】
ここで、サーバ装置３００は、かかる所定情報に基づいて、上述の各需要家の信頼度に関する情報を算出するように構成されていてもよい。
【００４４】
また、レポート取得部１１５は、かかるレポート（結果応答）の内容について信用できないと判断した場合には、図２に示すパターン２のシーケンスを実施することで、施設１００Ｂ（或いは、施設１００Ｂの需要家）の評価を実施するように構成されていてもよい。かかる評価の結果及びレポートの内容が異なる場合、通知部１１６は、かかる評価の結果及びレポートの内容について、サーバ装置３００に通知するように構成されていてもよい。かかる構成によれば、サーバ装置３００において、施設１００Ｂ（或いは、施設１００Ｂの需要家）の評価を修正することができる。
【００４５】
図５に示すように、ＥＭＳ１０２Ｂは、通信部１２１と、データベース１２２と、応答部１２３と、ＤＲ処理部１２４と、レポート送信部１２５とを有している。ここで、検索部１１３、応答部１２３、ＤＲ処理部１２４及びレポート送信部１２５の一部又は全部は、ＥＭＳ１０２Ａの制御部（図示せず）に含まれていてもよい。
【００４６】
通信部１２１は、通信モジュールによって構成されており、施設１００Ｂの分散電源１０１Ｂ、負荷機器１０３Ｂ及びサーバ装置３００と通信を行う。通信部１１１は、サーバ装置３００との間で、第１通信プロトコルに従って通信を行う。例えば、第１通信プロトコルとしては、Ｏｐｅｎ  ＡＤＲ  ２.０に準拠する通信プロトコル、或いは、独自の専用通信プロトコルを用いることができる。一方、通信部１２１は、分散電源１０１Ｂ及び負荷機器１０３Ｂとの間で、第２通信プロトコルに従って通信を行う。例えば、第２通信プロトコルは、ＥＣＨＯＮＥＴ  Ｌｉｔｅに準拠する通信プロトコル、ＳＥＰ２．０、ＫＮＸ、或いは、独自の専用通信プロトコルを用いることができる。
【００４７】
データベース１２２は、不揮発性メモリ又は/及びＨＤＤ等の記憶媒体によって構成されており、施設１００Ｂに関するデータを記憶する。
【００４８】
応答部１２３は、通信部１２１を介して、ＥＭＳ１０２Ａから検索要求を受信するように構成されている。
【００４９】
また、応答部１２３は、ＥＭＳ１０２Ａから受信した検索要求に応じて、通信部１２１を介して、ＥＭＳ１０２Ａに対して検索応答を送信するように構成されている。
【００５０】
ここで、応答部１２３は、通信部１２１を介して、ＥＭＳ１０２Ａに対して、かかる検索応答によって、後述するレポートとして送信可能な項目を通知するように構成されていてもよい。
【００５１】
例えば、応答部１２３は、かかる項目として、ＥＭＳ１０２Ｂにおけるデマンドレスポンス要請に対する達成率（要請期間中に、要請された電力量を１００％とした場合に対して達成した電力量の度合い（例えば、％））、ＥＭＳ１０２Ｂにおけるデマンドレスポンス要請に対する最大達成率（要請期間内、単位時間ごとの達成率（例えば、％）のうち最大の値）、ＥＭＳ１０２Ｂにおけるデマンドレスポンス要請に対する最低達成率（要請期間内、単位時間ごとの達成率（例えば、％）のうち最小の値）、デマンドレスポンス要請に対する平均滞在率、及び／又はデマンドレスポンス要請に対する応答時の最大電力誤差（例えば、１分単位）等を通知するように構成されていてもよい。ここで、「滞在率」は、要請に応じていた際の電力量が、要請量に対しある範囲（例えば、±２０％や１０％）に入っていた時間の単位時間当たりの割合である。「平均滞在率」は、デマンドレスポンスが要請されている時間の範囲で滞在率を平均したものである。
【００５２】
ここで、各需要家の信頼度に関する情報は、少なくともデマンドレスポンス要請に対する達成度及びデマンドレスポンス要請に対する平均滞在率のいずれか一方であってもよい。
【００５３】
なお、ＥＭＳ１０２Ｂが、ＥＭＳ１０２Ａからのデマンドレスポンス要請に対して応答した場合には、供給した電力量に対する対価として金銭の支払いが発生する。従って、上述の構成によれば、各項目の内容に応じてデマンドレスポンス要請に対する達成具合を把握することができ、必要に応じて対価を減額することも可能になる。
【００５４】
ＤＲ処理部１２４は、通信部１２１を介して、ＥＭＳ１０２Ａから、デマンドレスポンス要請を受信するように構成されている。
【００５５】
また、ＤＲ処理部１２４は、ＥＭＳ１０２Ａから受信したデマンドレスポンス要請に応答して、ＥＭＳ１０２Ａに対してデマンドレスポンス要請によって要請された指定値の電力量を供給するように、ＥＭＳ１０２Ｂによって管理されている分散電源１０１Ｂ又は負荷機器１０３Ｂを制御するように構成されている。
【００５６】
レポート送信部１２５は、デマンドレスポンスが完了した際に、通信部１２１を介して、ＥＭＳ１０２Ａから結果要求を受信するように構成されている。
【００５７】
また、レポート送信部１２５は、ＥＭＳ１０２Ａから受信した結果要求に応じて、通信部１２１を介して、ＥＭＳ１０２Ａに対して、結果応答によって、上述の指定値の電力量の供給に係るレポートを送信するように構成されている。
【００５８】
更に、レポート送信部１２５は、検索応答によってＥＭＳ１０２Ａに通知したレポートとして送信可能な項目及び結果要求に基づいて、かかるレポートの内容について決定するように構成されていてもよい。
【００５９】
なお、上述のデマンドレスポンス要請に対する対価に係る情報は、別プロトコルによって、サーバ装置３００とＥＭＳ１０２Ａ/１０２Ｂとの間で送受信されるように構成されていてもよい。
【００６０】
以下、図６を参照して、本実施形態に係る電力供給方法の一例について説明する。
【００６１】
図６に示すように、ステップＳ１０１において、ＥＭＳ１０２Ａは、検索要求を送信し、ステップＳ１０２において、かかる検索要求を受信したＥＭＳ１０２Ｂは、ＥＭＳ１０２Ａに対して、かかる検索要求に対応する検索応答を送信する。
【００６２】
ステップＳ１０３において、ＥＭＳ１０２Ａは、検索応答を受信したＥＭＳの中から、ＥＭＳ１０２Ｂを選出し、ＥＭＳ１０２Ｂに対して、デマンドレスポンス要請を送信する。
【００６３】
ステップＳ１０４において、ＥＭＳ１０２Ｂは、ＥＭＳ１０２Ａに対してデマンドレスポンス要請によって要請された指定値の電力量を供給するように、ＥＭＳ１０２Ｂによって管理されている分散電源１０１Ｂ又は負荷機器１０３Ｂを制御する。
【００６４】
ステップＳ１０５において、ＥＭＳ１０２Ａは、デマンドレスポンスが完了した際に、ＥＭＳ１０２Ｂに対して、結果要求を送信する。
【００６５】
ステップＳ１０６において、ＥＭＳ１０２Ｂは、かかる結果要求に応じて、ＥＭＳ１０２Ａに対して、結果応答によって、上述の指定値の電力量の供給に係るレポートを送信する。
【００６６】
本実施形態によれば、応答側需要家（施設１００Ｂ）から要請側需要家（施設１００Ａ）に対して所望の電力量を供給する場合における通信量及びＥＭＳにおける処理量の増加を低減することができる。なお、上述のように、本明細書において「応答」という用語が使われているが、「応答して動作すること」から、かかる「応答」という用語の代わりに「応動」という用語を用いてもよい。
【００６７】
本開示は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６８】
実施形態では、サーバ装置３００が複数の施設１００を管理するケースについて例示した。しかしながら、サーバ装置３００が１つの施設１００を管理してもよい。このようなケースにおいて、サーバ装置３００は、ＥＭＳ１０２であってもよい。
【００６９】
実施形態では特に触れていないが、施設１００に設けられるＥＭＳ１０２は、必ずしも施設１００内に設けられていなくてもよい。例えば、ＥＭＳ１０２の機能の一部は、インターネット上に設けられるクラウドサーバによって提供されてもよい。すなわち、ＥＭＳ１０２がクラウドサーバを含むと考えてもよい。
【００７０】
実施形態では、第１通信プロトコルがＯｐｅｎ  ＡＤＲ２．０に準拠するプロトコルであり、第２通信プロトコルがＥＣＨＯＮＥＴ  Ｌｉｔｅ、ＳＥＰ２．０、或いはＫＮＸに準拠するプロトコルであるケースについて例示した。しかしながら、実施形態はこれに限定されるものではない。第１通信プロトコルは、サーバ装置３００とＥＭＳ１０２との間の通信で用いるプロトコルとして規格化されたプロトコルであればよい。第２通信プロトコルは、施設１００で用いるプロトコルとして規格化されたプロトコルであればよい。
【００７１】
本願は、日本国特許出願第２０１９−０１４４３３号（２０１９年１月３０日出願）の優先権を主張し、その内容の全てが本願明細書に組み込まれている。
【図１】
2020158592.tif 000003
【図２】
2020158592.tif 000004
【図３】
2020158592.tif 000005
【図４】
2020158592.tif 000006
【図５】
2020158592.tif 000007
【図６】
2020158592.tif 000008
【手続補正書】
【提出日】令和3年7月13日(2021.7.13)
【手続補正１】
【補正対象書類名】明細書
【補正対象項目名】００１９
【補正方法】変更
【補正の内容】
【００１９】
分散電源１０１Ａ／１０１Ｂは、燃料を用いて発電を行う燃料電池装置であってもよい。燃料電池装置は、燃料を用いて発電を行う装置である。例えば、燃料電池装置は、固体酸化物型燃料電池（ＳＯＦＣ：Ｓｏｌｉｄ  Ｏｘｉｄｅ  Ｆｕｅｌ  Ｃｅｌｌ）、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）、リン酸型燃料電池（ＰＡＦＣ：Ｐｈｏｓｐｈｏｒｉｃ  Ａｃｉｄ  Ｆｕｅｌ  Ｃｅｌｌ）、及び／又は溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。また、分散電源１０１Ａ／１０１Ｂは、太陽光、風力、水力、又は地熱等の自然エネルギーを用いて発電を行う発電装置であってもよい。また、分散電源１０１Ａ／１０１Ｂは、電力の充電及び電力の放電を行う蓄電装置であってもよい。
【手続補正２】
【補正対象書類名】明細書
【補正対象項目名】００２２
【補正方法】変更
【補正の内容】
【００２２】
ＥＭＳ１０２Ａ／１０２Ｂは、施設１００Ａ／１００Ｂの電力を管理する電力管理装置である。ＥＭＳ１０２Ａ／１０２Ｂは、分散電源１０１Ａ／１０１Ｂ及び負荷機器１０３Ａ／１０３Ｂの動作状態を制御してもよい。具体的には、ＥＭＳ１０２Ａ／１０２Ｂは、蓄電装置の充電又は放電を制御してよい。ＥＭＳ１０２Ａ／１０２Ｂは、ＶＥＮ（Ｖｉｒｔｕａｌ  Ｅｎｄ  Ｎｏｄｅ）の一例である。
【手続補正３】
【補正対象書類名】明細書
【補正対象項目名】００２７
【補正方法】変更
【補正の内容】
【００２７】
通信部１１１は、通信モジュールによって構成されており、施設１００Ａの分散電源１０１Ａ、負荷機器１０３Ａ及びサーバ装置３００と通信を行う。通信部１１１は、サーバ装置３００との間で、第１通信プロトコルに従って通信を行う。例えば、第１通信プロトコルとしては、Ｏｐｅｎ  ＡＤＲ  ２.０に準拠する通信プロトコル、或いは、独自の専用通信プロトコルを用いることができる。一方、通信部１１１は、分散電源１０１Ａ及び負荷機器１０３Ａとの間で、第２通信プロトコルに従って通信を行う。例えば、第２通信プロトコルは、ＥＣＨＯＮＥＴ  Ｌｉｔｅ（登録商標。以下同じ）に準拠する通信プロトコル、ＳＥＰ（Ｓｍａｒｔ  Ｅｎｅｒｇｙ  Ｐｒｏｆｉｌｅ）２．０、ＫＮＸ、或いは、独自の専用通信プロトコルを用いることができる。
【手続補正４】
【補正対象書類名】明細書
【補正対象項目名】００４５
【補正方法】変更
【補正の内容】
【００４５】
図５に示すように、ＥＭＳ１０２Ｂは、通信部１２１と、データベース１２２と、応答部１２３と、ＤＲ処理部１２４と、レポート送信部１２５とを有している。ここで、通信部１２１、応答部１２３、ＤＲ処理部１２４及びレポート送信部１２５の一部又は全部は、ＥＭＳ１０２Ａの制御部（図示せず）に含まれていてもよい。
【手続補正５】
【補正対象書類名】明細書
【補正対象項目名】００４６
【補正方法】変更
【補正の内容】
【００４６】
通信部１２１は、通信モジュールによって構成されており、施設１００Ｂの分散電源１０１Ｂ、負荷機器１０３Ｂ及びサーバ装置３００と通信を行う。通信部１２１は、サーバ装置３００との間で、第１通信プロトコルに従って通信を行う。例えば、第１通信プロトコルとしては、Ｏｐｅｎ  ＡＤＲ  ２．０に準拠する通信プロトコル、或いは、独自の専用通信プロトコルを用いることができる。一方、通信部１２１は、分散電源１０１Ｂ及び負荷機器１０３Ｂとの間で、第２通信プロトコルに従って通信を行う。例えば、第２通信プロトコルは、ＥＣＨＯＮＥＴ  Ｌｉｔｅに準拠する通信プロトコル、ＳＥＰ２．０、ＫＮＸ、或いは、独自の専用通信プロトコルを用いることができる。
【国際調査報告】
2020158592.tif 000009
2020158592.tif 000010
2020158592.tif 000011
2020158592.tif 000012